(57)【要約】【課題】一般的な印刷環境において簡易的なくるみ製本を行うことを可能とする画像処理装置、及び、プログラムを提供する。【解決手段】画像分割部１６ｂは、表紙画像を、指定された表紙画像の配置位置に従って、表紙領域に配置した表紙領域画像を生成する。そして、画像分割部１６ｂは、指定された印刷用紙のサイズと設定された背幅とに基づいて、生成した表紙領域画像を分割して、表表紙に対応する画像と背用紙に対応する画像と裏表紙に対応する画像を生成する。【選択図】図１
2015207966.tif 000002
【特許請求の範囲】
【請求項１】
指定された配置位置に従って配置されている冊子用の表紙画像を、指定された印刷用紙のサイズと設定された前記冊子の背幅とに基づいて、表表紙に対応する画像と、背用紙に対応する画像と、裏表紙に対応する画像と、に分割する分割手段を備える、
ことを特徴とする画像処理装置。
【請求項２】
前記背用紙の一部の領域がのりしろとして使用され、
前記のりしろを各表紙の外側にすることが指定された場合に、前記のりしろが重なる前記表紙の領域であるのりしろ被覆領域の画像を取得する画像取得手段と、
前記のりしろを外側にして前記表紙に重ねた際に前記のりしろ被覆領域の前記画像と一致するように、前記画像取得手段により取得された前記画像を、前記背用紙の前記のりしろに対応する領域に配置する第１画像処理手段と、
を、更に、備える、
ことを特徴とする請求項１に記載の画像処理装置。
【請求項３】
ユーザによる設定内容に基づいて、製本時にステープルガイドとのりしろガイドが見えなくなるように、前記表表紙と前記背用紙と前記裏表紙のいずれかに、前記ステープルガイドと前記のりしろガイドを配置する第２画像処理手段を、更に、備える、
ことを特徴とする請求項１又は２に記載の画像処理装置。
【請求項４】
画像処理装置のコンピュータに、
指定された配置位置に従って配置されている冊子用の表紙画像を、指定された印刷用紙のサイズと設定された前記冊子の背幅とに基づいて、表表紙に対応する画像と、背用紙に対応する画像と、裏表紙に対応する画像と、に分割する、
処理を実行させる、
ことを特徴とするプログラム。
【発明の詳細な説明】
【技術分野】
【０００１】
本発明は、画像処理装置、及び、プログラムに関する。
【背景技術】
【０００２】
印刷装置の中には、くるみ製本機と連結することでくるみ製本が可能な印刷装置がある（例えば、特許文献１を参照）。くるみ製本の機能に対するニーズは非常に強いものの、このような印刷装置は非常に高価であり、製本業者など一部のユーザが導入しているのみである。
【０００３】
そのため、くるみ製本の機能に対応している印刷装置（以下、対応印刷装置という）を有していないユーザがくるみ製本を行う場合には、そのユーザは、対応印刷装置を有する製本業者などにくるみ製本を依頼しなければならない。
【０００４】
対応印刷装置を有さないユーザは、仕上がり具合を事前にチェックすることができないため、製本業者から納品された冊子の仕上がりがイメージと異なってしまうという問題がある。特に、表紙部分は、最もユーザのイメージを左右する部分であり、表紙部分の仕上がり具合は重要な要素となる。
【先行技術文献】
【特許文献】
【０００５】
【特許文献１】特開２０１３−２４４６７４号公報
【発明の概要】
【発明が解決しようとする課題】
【０００６】
上記問題点に鑑み、本発明では、一般的な印刷環境において簡易的なくるみ製本を行うことを可能とする画像処理装置、及び、プログラムを提供することを課題とする。
【課題を解決するための手段】
【０００７】
請求項１に係る画像処理装置は、
指定された配置位置に従って配置されている冊子用の表紙画像を、指定された印刷用紙のサイズと設定された前記冊子の背幅とに基づいて、表表紙に対応する画像と、背用紙に対応する画像と、裏表紙に対応する画像と、に分割する分割手段を備える、
ことを特徴としている。
【０００８】
請求項２に係る画像処理装置は、請求項１に係る画像処理装置において、
前記背用紙の一部の領域がのりしろとして使用され、
前記のりしろを各表紙の外側にすることが指定された場合に、前記のりしろが重なる前記表紙の領域であるのりしろ被覆領域の画像を取得する画像取得手段と、
前記のりしろを外側にして前記表紙に重ねた際に前記のりしろ被覆領域の前記画像と一致するように、前記画像取得手段により取得された前記画像を、前記背用紙の前記のりしろに対応する領域に配置する第１画像処理手段と、
を、更に、備える、
ことを特徴としている。
【０００９】
請求項３に係る画像処理装置は、請求項１又は２に係る画像処理装置において、
ユーザによる設定内容に基づいて、製本時にステープルガイドとのりしろガイドが見えなくなるように、前記表表紙と前記背用紙と前記裏表紙のいずれかに、前記ステープルガイドと前記のりしろガイドを配置する第２画像処理手段を、更に、備える、
ことを特徴としている。
【００１０】
請求項４に係るプログラムは、
画像処理装置のコンピュータに、
指定された配置位置に従って配置されている冊子用の表紙画像を、指定された印刷用紙のサイズと設定された前記冊子の背幅とに基づいて、表表紙に対応する画像と、背用紙に対応する画像と、裏表紙に対応する画像と、に分割する、
処理を実行させる、
ことを特徴としている。
【発明の効果】
【００１１】
請求項１に係る画像処理装置、及び、請求項４に係るプログラムによれば、指定された配置位置に従って配置されている表紙画像を、指定された印刷用紙のサイズと設定された背幅とに基づいて、表表紙に対応する画像と、背用紙に対応する画像と、裏表紙に対応する画像と、に分割する。これにより、例えば、一般的な印刷装置で使用されるＡ４などの印刷用紙とは異なるくるみ製本機用の幅広な表紙用印刷用紙に合わせて、表紙画像が作成されている場合などであっても、表紙画像を各領域に分割して表表紙と背用紙と裏表紙を作成することが可能となる。したがって、例えば、くるみ製本を製本業者に依頼する場合であっても、製本時の仕上がりを事前に確認することが可能となり、必要に応じて微調整を依頼前に行うことが可能となる。結果として、依頼から納品までのリードタイムを短縮することが可能となると共に、仕上がりがイメージとは異なるようなことが発生するのを抑制することが可能となる。
【００１２】
請求項２に係る画像処理装置によれば、背用紙の一部の領域がのりしろとして使用され、のりしろを各表紙の外側にすることが指定された場合に、のりしろが重なるのりしろ被覆領域の画像を取得し、のりしろを外側にして表紙に重ねた際に、のりしろ被覆領域の画像と一致するように、取得した画像をのりしろの領域に配置した背用紙画像を生成する。これにより、のりしろが表紙画像の少なくとも一部を覆ってしまう場合であっても、覆われてしまう部分の表紙画像を背用紙ののりしろ領域に印刷することが可能となり、くるみ製本機で作成した場合と同じような見栄えの表紙を作成することが可能となる。
【００１３】
請求項３に係る画像処理装置によれば、ユーザによる設定内容に基づいて、製本時にステープルガイドとのりしろガイドが見えなくなるように、ステープルガイドとのりしろガイドを配置する。これにより、製本時の見栄えを良くすることが可能となる。
【図面の簡単な説明】
【００１４】
【図１】実施形態における印刷システムの構成例、及び、印刷システムを構成する印刷装置の構成例を示す機能ブロック図である。
【図２】（Ａ）と（Ｂ）は、いずれも、実施形態における情報端末装置の表示画面に表示される簡易くるみ製本印刷設定画面の例である。
【図３】（Ａ）と（Ｂ）は、いずれも、表紙領域画像の分割について説明するための図であり、（Ａ）は、表紙領域画像の分割前を、（Ｂ）は、表紙領域画像の分割後を示している。
【図４】図２（Ａ）に示す設定例に対応する印刷結果の例を示す図である。
【図５】図２（Ｂ）に示す設定例に対応する印刷結果の例を示す図である。
【図６】（Ａ）は、実施形態における情報端末装置の表示画面に表示される簡易くるみ製本印刷設定画面の別の設定例を示す図であり、（Ｂ）は、図６（Ａ）の設定例に対応する表表紙の印刷結果の例を示す図である。
【図７】実施形態における表紙画像処理のフローを説明するためのフローチャートの例の一部である。
【図８】実施形態における表紙画像処理のフローを説明するためのフローチャートの例の他の一部である
【図９】（Ａ）は、変形例における情報端末装置の表示画面に表示される簡易くるみ製本印刷設定画面の別の例であり、（Ｂ）は、変形例における用紙属性情報テーブルの例を示す図である。
【発明を実施するための形態】
【００１５】
以下に本発明の実施の形態について図面を参照しながら詳細に説明する。
【００１６】
図１は、本実施形態の印刷システム１００の構成例、及び、印刷システム１００を構成する印刷装置１０の構成例を示す機能ブロック図である。印刷システム１００は、図１に示すように、画像処理装置である一又は複数の印刷装置１０と、一又は複数の情報端末装置２０とを含み、印刷装置１０と情報端末装置２０は、ネットワークＮＷを介して相互に通信可能に接続されている。
【００１７】
なお、以下において、情報端末装置２０により出力される印刷ジョブは、図２に例示する簡易くるみ製本印刷設定画面において必要な設定を行うことで生成される印刷ジョブであるものとする。図２（Ａ）と（Ｂ）は、いずれも、本実施形態における情報端末装置２０の表示画面に表示される簡易くるみ製本印刷設定画面の例である。
【００１８】
本実施形態においては、ユーザは、簡易的なくるみ製本を行う場合に、表紙に使用するデータ（画像）を選択して図２に例示する簡易くるみ製本印刷設定画面の設定を行う。図２の例では、綴じ位置、背幅Ｗ２、上側マージンＵＭ、左側マージンＬＭ、のりしろ位置、切り取り線としての機能も有するのりしろガイドＬ２のあり／なし、のりしろ幅Ｗ３、ステープルガイドＬ３のあり／なし、ステープルガイド位置１（ステープルガイドＬ３を印刷する用紙）、ステープルガイド位置２（ステープルガイドＬ３を印刷する位置の背からの距離Ｗ４）の指定が可能である。また、図示していないが、印刷用紙の設定なども可能となっている。
【００１９】
綴じ位置は、冊子を左綴じにするか右綴じにするかを指定するためのものであり、本実施形態においては、左綴じが指定されているものとして以下説明する。
【００２０】
上側マージンＵＭと左側マージンＬＭは、表紙の画像（以下、表紙画像という）ＩＭＧの配置位置を指定するパラメータである。上側マージンＵＭと左側マージンＬＭの値が設定されていない場合には、図３（Ａ）に示すように、表表紙領域Ｄ１と背領域Ｄ２と裏表紙領域Ｄ３とからなる領域（以下、表紙領域という）Ｄのデフォルトの位置に表紙画像ＩＭＧが配置される。本実施形態においては、デフォルトの位置は、表紙領域Ｄの天地左右中央である。つまり、デフォルトの場合、左右のマージンと上下のマージンが、それぞれ、等しくなるように表紙画像ＩＭＧが表紙領域Ｄ上に配置される。以下において、上側マージンＵＭと左側マージンＬＭとの組を、表紙画像ＩＭＧのレイアウト情報と称することとする。
【００２１】
なお、図３（Ａ）の図中の表紙画像ＩＭＧの点線枠と背ガイドＬ１は便宜的に図示したものである。
【００２２】
表表紙領域Ｄ１と裏表紙領域Ｄ３は、そのサイズが指定された印刷用紙のサイズに等しい領域であり、それぞれ、冊子の表表紙に対応する領域と、冊子の裏表紙に対応する領域である。背領域Ｄ２は、簡易くるみ製本印刷設定画面で設定された背幅Ｗ２に基づいて画定される領域であり、冊子の背に対応する領域である。つまり、表紙領域Ｄは、指定された印刷用紙のサイズと背幅Ｗ２とに基づいて、画定される領域である。
【００２３】
図１に戻り、印刷装置１０は、情報端末装置２０により出力される印刷ジョブを処理して、紙などの印刷媒体上に印刷して出力する装置であり、図１に示すように、通信部１１と、記憶部１２と、表示部１３と、操作部１４と、プリンタ部１５と、制御部１６と、を備えて構成されている。
【００２４】
通信部１１は、通信モジュールなどで構成され、ネットワークＮＷを介して、情報端末装置２０との間で通信を行う。例えば、通信部１１は、情報端末装置２０により出力される印刷ジョブを受信する。
【００２５】
記憶部１２は、ＲＡＭ（Random Access Memory）、ＲＯＭ（Read Only Memory）、不揮発性メモリなどで構成され、制御部１６を構成するＣＰＵ（Central Processing Unit）のワークエリア、印刷装置１０全体を制御するための動作プログラムなどの各種プログラムを格納するプログラムエリア、各種データを格納するデータエリアとして機能する。
【００２６】
表示部１３は、ＬＣＤ（Liquid Crystal Display）や有機ＥＬ（Electro-Luminescence）などの表示装置などで構成され、例えば、画像や各種のメッセージや各種機能ボタンなどを表示画面上に表示する。
【００２７】
操作部１４は、テンキ−や表示部１３の表示画面上に表示されるタッチパネルなどで構成され、ユーザは、操作部１４を操作して、印刷装置１０への指示を入力することで、所望の処理を実行させることが可能である。
【００２８】
プリンタ部１５は、プリンタエンジンなどで構成され、ＲＩＰ処理部１６ｆ（詳しくは後述）によりラスタデータが生成されると、プリンタ部１５は、ページ毎にレイアウト処理を実行し、レイアウト処理後のページデータに対して、例えば、キャリブレーションなどの画像処理を施した後に、印刷媒体に印刷し出力する。
【００２９】
制御部１６は、ＣＰＵなどで構成され、記憶部１２のプログラムエリアに格納されている動作プログラムを実行して、図１に示すように、判定部１６ａと、画像分割部１６ｂと、のりしろ領域特定部１６ｃと、画像取得部１６ｄと、画像処理部１６ｅと、ＲＩＰ処理部１６ｆとしての機能を実現すると共に、印刷装置１０全体を制御する制御処理や詳しくは後述の表紙画像処理などの処理を実行する。
【００３０】
判定部１６ａは、上側マージンＵＭと左側マージンＬＭに関するパラメータに基づいて、表紙画像ＩＭＧの配置位置の指定があるか否かを判定する。より具体的には、マージンの設定があれば、判定部１６ａは、配置位置の指定があると判定し、マージンの設定がなければ、配置位置の指定はないと判定する。
【００３１】
また、判定部１６ａは、簡易くるみ製本印刷設定画面で設定されたのりしろ位置に関するパラメータに基づいて、のりしろ位置の指定は表紙の外側か否かを判定する。また、判定部１６ａは、のりしろ位置の指定が表紙の外側である場合には、更に、のりしろ領域特定部１６ｃにより特定されたのりしろの領域（以下、のりしろ領域という）Ｄ４が重なる表紙（表表紙と裏表紙）の領域（以下、のりしろ被覆領域という）Ｄ５のいずれかに表紙画像ＩＭＧがあるか否かを判定する。例えば、図４の例では、表表紙ののりしろ被覆領域Ｄ５に表紙画像ＩＭＧがあることから、判定部１６ａは、表紙画像ＩＭＧがあると判定する。
【００３２】
また、判定部１６ａは、簡易くるみ製本印刷設定画面で設定されたのりしろガイドＬ２に関するパラメータに基づいて、のりしろガイドＬ２の印刷が指定されたか否かを判定する。
【００３３】
また、判定部１６ａは、簡易くるみ製本印刷設定画面で設定されたステープルガイドＬ３に関するパラメータに基づいて、ステープルガイドＬ３の印刷が指定されたか否かを判定する。また、判定部１６ａは、ステープルガイドＬ３の印刷が指定されたと判定した場合には、更に、ステープルガイドＬ３を背用紙に印刷することが指定されたか否かを判定する。また、判定部１６ａは、背用紙に印刷することが指定されていると判定した場合には、更に、簡易くるみ製本印刷設定画面で設定された綴じ位置に関するパラメータに基づいて、綴じ位置の指定は左綴じか否かを判定する。
【００３４】
画像分割部１６ｂは、指定された印刷用紙のサイズと設定された背幅Ｗ２とに基づいて、表紙領域Ｄを画定し、表紙画像ＩＭＧのレイアウト情報に基づいて、画定した表紙領域Ｄ（に対応する透過画像）に表紙画像ＩＭＧを配置した表紙領域画像を生成する。この際、上側マージンＵＭと左側マージンＬＭの指定が無い場合には、画像分割部１６ｂは、表紙画像ＩＭＧを表紙領域Ｄのデフォルトの位置に配置する。
【００３５】
そして、画像分割部１６ｂは、指定された印刷用紙の短手方向のサイズＰＷと設定された背幅Ｗ２とに基づいて、生成した表紙領域画像を、表表紙領域Ｄ１、背領域Ｄ２、裏表紙領域Ｄ３に対応する画像に分割し、表表紙画像と背領域画像と裏表紙画像を生成する。
【００３６】
そして、画像分割部１６ｂは、生成した背領域画像に基づいて、背用紙に対応する背用紙画像を生成する。本実施形態においては、画像分割部１６ｂは、生成した背領域画像を背用紙領域（に対応する透過画像）の天地左右中央に配置した背用紙画像を生成する。つまり、画像分割部１６ｂは、表表紙画像と背領域画像と裏表紙画像を、それぞれ、指定された印刷用紙に配置した場合の画像を生成する。
【００３７】
例えば、処理対象の表紙画像ＩＭＧが、図３（Ａ）の図中に示す画像であるとすると、画像分割部１６ｂは、指定された印刷用紙のサイズと設定された背幅Ｗ２とに基づいて、表紙領域Ｄを画定し、表紙画像ＩＭＧのレイアウト情報に基づいて、画定した表紙領域Ｄに表紙画像を配置した、図３（Ａ）に示すような表紙領域画像を生成する。そして、画像分割部１６ｂは、図３（Ｂ）に示すように、表紙領域画像を、表表紙画像と、背領域画像と、裏表紙画像に分割する。ここで、図３（Ａ）と（Ｂ）は、いずれも、表紙領域画像の分割について説明するための図であり、（Ａ）は、表紙領域画像の分割前を、（Ｂ）は、表紙領域画像の分割後を示している。
【００３８】
図１に戻り、のりしろ領域特定部１６ｃは、簡易くるみ製本印刷設定画面で設定された背幅Ｗ２とのりしろガイドＬ２とのりしろ幅Ｗ３に関するパラメータに基づいて、背用紙ののりしろ領域Ｄ４を特定する。
【００３９】
ここで、図４に示す具体例に従って、のりしろ領域特定部１６ｃの機能についてさらに説明する。図４は、図２（Ａ）に示す設定例に対応する印刷結果の例を示す図である。
【００４０】
のりしろ領域特定部１６ｃは、のりしろガイドＬ２ありの設定の場合には、のりしろガイドＬ２より端側の領域は切り取られることから、図４に示すように、背領域Ｄ２を示す背ガイドＬ１と隣接するのりしろガイドＬ２とで挟まれた領域を、設定された背幅Ｗ２とのりしろ幅Ｗ３とに基づいて、のりしろ領域Ｄ４として特定する。
【００４１】
一方、のりしろガイドＬ２なしの設定の場合には、のりしろ領域特定部１６ｃは、背領域Ｄ２の両側の領域を、設定された背幅Ｗ２に基づいて、のりしろ領域Ｄ４として特定する。なお、図４などの図中のＣＬは、便宜的に示している印刷用紙の中心線である。
【００４２】
図１に戻り、画像取得部１６ｄは、のりしろ位置の指定が表紙の外側であり、のりしろ被覆領域Ｄ５に表紙画像ＩＭＧがある場合に、のりしろ被覆領域Ｄ５内の表紙画像ＩＭＧを切り出して、切り出した画像を取得する。
【００４３】
ここで、図４と図５に示す具体例に従って、画像取得部１６ｄの機能についてさらに説明する。図５は、図２（Ｂ）に示す設定例に対応する印刷結果の例を示す図である。
【００４４】
図２（Ａ）に示す設定例では、のりしろ位置の指定は表紙の内側であることから、画像取得部１６ｄは、のりしろ被覆領域Ｄ５内の表紙画像ＩＭＧを取得しない。この場合、ユーザはのりしろを表紙の内側（裏側）に接するようにすることから、のりしろ領域Ｄ４が表紙画像を覆ってしまうことがないからである。
【００４５】
一方、図２（Ｂ）に示す設定例では、のりしろ位置の指定は表紙の外側である。この場合、ユーザはのりしろを表紙の外側（表側）に接するようにすることから、のりしろ被覆領域Ｄ５に表紙画像ＩＭＧが有る場合には、のりしろ領域Ｄ４がのりしろ被覆領域Ｄ５に有る表紙画像ＩＭＧを覆ってしまうことになる。したがって、この場合、画像取得部１６ｄは、各表紙ののりしろ被覆領域Ｄ５内の表紙画像ＩＭＧを切り出して、切り出した画像を取得する。例えば、図５の例では、表表紙ののりしろ被覆領域Ｄ５に表紙画像ＩＭＧがあることから、画像取得部１６ｄは、表表紙ののりしろ被覆領域Ｄ５内の表紙画像ＩＭＧを切り出して、切り出した画像を取得する。
【００４６】
図１に戻り、画像処理部１６ｅは、簡易くるみ製本印刷設定画面で設定された内容、つまり、設定された内容に対応する各種のパラメータに基づいて、ステープルガイドＬ３やのりしろガイドＬ２などを配置した、表表紙画像と背用紙画像と裏表紙画像を生成する。
【００４７】
より具体的には、画像処理部１６ｅは、図４に示すように、簡易くるみ製本印刷設定画面で設定された背幅Ｗ２に基づいて、背ガイドＬ１を背用紙画像上に配置する画像処理を行う。また、画像処理部１６ｅは、画像取得部１６ｃにより画像が取得された場合には、図５に示すように、背用紙ののりしろ領域Ｄ４を外側にして表紙に重ねた際に、表紙ののりしろ被覆領域Ｄ５の表紙画像ＩＭＧ」と一致するように、画像取得部１６ｃにより取得された画像を、背用紙画像ののりしろ領域Ｄ４上に配置する画像処理を行う。
【００４８】
また、画像処理部１６ｅは、のりしろガイドＬ２の印刷が指定された場合には、図４に示すように、簡易くるみ製本印刷設定画面で設定された背幅Ｗ２とのりしろ幅Ｗ３とに基づいて、のりしろガイドＬ２を背用紙画像上に配置する画像処理を行う。
【００４９】
また、画像処理部１６ｅは、ステープルガイドＬ３の背用紙上の印刷が指定された場合には、図４に示すように、簡易くるみ製本印刷設定画面で設定された背幅Ｗ２と背からの距離Ｗ４とに基づいて、ステープルガイドＬ３を背用紙画像に配置する画像処理を行う。この際、画像処理部１６ｅは、綴じ位置の指定が左綴じの場合には、図４に示すように、中心線ＣＬより右側の領域、つまり、表表紙と重なる領域にステープルガイドＬ３を配置する。一方、画像処理部１６ｅは、綴じ位置の指定が右綴じの場合には、中心線ＣＬより左側の領域にステープルガイドＬ３を配置する。
【００５０】
一方、図６（Ａ）に示すように、ステープルガイドＬ３の表表紙上の印刷が指定された場合には、画像処理部１６ｅは、図６（Ｂ）に示すように、簡易くるみ製本印刷設定画面で設定された背からの距離Ｗ４に基づいて、ステープルガイドＬ３を表表紙画像上に配置する画像処理を行う。ここで、図６（Ａ）は、本実施形態における情報端末装置２０の表示画面に表示される簡易くるみ製本印刷設定画面の別の設定例を示す図であり、図６（Ｂ）は、図６（Ａ）の設定例に対応する表表紙の印刷結果の例を示す図である。
【００５１】
図１に戻り、ＲＩＰ処理部１６ｆは、画像分割部１６ｂと画像処理部１６ｅとによる処理が施された印刷ジョブをＲＩＰ（Raster Image Processor）処理し、ラスタデータを生成する。
【００５２】
次に、図７と図８を参照して、本実施形態における表紙画像処理について説明する。図７と図８は、それぞれ、本実施形態における表紙画像処理のフローを説明するためのフローチャートの例の一部と、他の一部である。本表紙画像処理は、簡易くるみ製本印刷設定画面において必要な設定を行うことで生成される印刷ジョブの受信をトリガとして開始される。
【００５３】
画像分割部１６ｂは、指定された印刷用紙のサイズと設定された背幅Ｗ２とに基づいて、表紙領域Ｄを画定する（ステップＳ００１）。そして、判定部１６ａは、表紙画像ＩＭＧの配置位置の指定があるか否かを判定する（ステップＳ００２）。判定部１６ａにより、配置位置の指定はないと判定された場合には（ステップＳ００２；ＮＯ）、画像分割部１６ｂは、画定した表紙領域Ｄのデフォルトの位置に表紙画像を配置した表紙領域画像を生成する（ステップＳ００３）。そして、処理は後述のステップＳ００５の処理へと進む。
【００５４】
一方、判定部１６ａにより、配置位置の指定があると判定された場合には（ステップＳ００２；ＹＥＳ）、画像分割部１６ｂは、表紙画像ＩＭＧのレイアウト情報に従って、画定した表紙領域Ｄに表紙画像を配置した表紙領域画像を生成する（ステップＳ００４）。
【００５５】
そして、画像分割部１６ｂは、指定された印刷用紙の短手方向のサイズＰＷと設定された背幅Ｗ２とに基づいて、生成した表紙領域画像を、表表紙領域Ｄ１、背領域Ｄ２、裏表紙領域Ｄ３に対応する画像に分割し、表表紙画像と背領域画像と裏表紙画像を生成する（ステップＳ００５）。そして、画像分割部１６ｂは、生成した背領域画像を背用紙領域の天地左右中央に配置した背用紙画像を生成する（ステップＳ００６）。
【００５６】
そして、画像処理部１６ｅは、簡易くるみ製本印刷設定画面で設定された背幅Ｗ２に基づいて、背ガイドＬ１を背用紙画像上に配置する画像処理を行う（ステップＳ００７）。そして、判定部１６ａは、簡易くるみ製本印刷設定画面で設定されたのりしろ位置に関するパラメータに基づいて、のりしろ位置の指定は表紙の外側か否かを判定する（ステップＳ００８）。
【００５７】
判定部１６ａにより、のりしろ位置の指定は表紙の内側であると判定された場合には（ステップＳ００８；ＮＯ）、処理は後述のステップＳ０１３の処理へと進む。一方、判定部１６ａにより、のりしろ位置の指定は表紙の外側であると判定された場合には（ステップＳ００８；ＹＥＳ）、のりしろ領域特定部１６ｃは、簡易くるみ製本印刷設定画面で設定された背幅Ｗ２とのりしろガイドＬ２とのりしろ幅Ｗ３に関するパラメータに基づいて、背用紙ののりしろ領域Ｄ４を特定する（ステップＳ００９）。
【００５８】
そして、判定部１６ａは、のりしろ領域特定部１６ｃにより特定されたのりしろ領域Ｄ４が重なる表紙ののりしろ被覆領域Ｄ５のいずれかに表紙画像ＩＭＧがあるか否かを判定する（ステップＳ０１０）。判定部１６ａにより、のりしろ被覆領域Ｄ５には表紙画像ＩＭＧはないと判定された場合には（ステップＳ０１０；ＮＯ）、処理は後述のステップＳ０１３の処理へと進む。
【００５９】
一方、判定部１６ａにより、のりしろ被覆領域Ｄ５に表紙画像ＩＭＧがあると判定された場合には（ステップＳ０１０；ＹＥＳ）、画像取得部１６ｄは、のりしろ被覆領域Ｄ５内の表紙画像ＩＭＧを切り出し、切り出した画像を取得する（ステップＳ０１１）。そして、画像処理部１６ｅは、背用紙ののりしろ領域Ｄ４を外側にして表紙に重ねた際に、表紙ののりしろ被覆領域Ｄ５の表紙画像ＩＭＧと一致するように、画像取得部１６ｃにより取得された画像を、背用紙画像ののりしろ領域Ｄ４上に配置する画像処理を行う（ステップＳ０１２）。
【００６０】
そして、判定部１６ａは、簡易くるみ製本印刷設定画面で設定されたのりしろガイドＬ２に関するパラメータに基づいて、のりしろガイドＬ２の印刷が指定されたか否かを判定する（ステップＳ０１３）。判定部１６ａにより、のりしろガイドＬ２の印刷は指定されていないと判定された場合には（ステップＳ０１３；ＮＯ）、処理は後述のステップＳ０１５の処理へと進む。
【００６１】
一方、判定部１６ａにより、のりしろガイドＬ２の印刷が指定されたと判定された場合には（ステップＳ０１３；ＹＥＳ）、画像処理部１６ｅは、簡易くるみ製本印刷設定画面で設定された背幅Ｗ２とのりしろ幅Ｗ３とに基づいて、のりしろガイドＬ２を背用紙画像上に配置する画像処理を行う（ステップＳ０１４）。
【００６２】
そして、判定部１６ａは、簡易くるみ製本印刷設定画面で設定されたステープルガイドＬ３に関するパラメータに基づいて、ステープルガイドＬ３の印刷が指定されたか否かを判定する（ステップＳ０１５）。判定部１６ａにより、ステープルガイドＬ３の印刷は指定されていないと判定された場合には（ステップＳ０１５；ＮＯ）、本処理は終了し、次の印刷ジョブの受信を待つ。
【００６３】
一方、ステープルガイドＬ３の印刷が指定されたと判定した場合には（ステップＳ０１５；ＹＥＳ）、判定部１６ａは、更に、ステープルガイドＬ３を背用紙に印刷することが指定されたか否かを判定する（ステップＳ０１６）。
【００６４】
ステープルガイドＬ３を背用紙に印刷することが指定されたと判定した場合には（ステップＳ０１６；ＹＥＳ）、判定部１６ａは、更に、綴じ位置の指定は左綴じか否かを判定する（ステップＳ０１７）。
【００６５】
判定部１６ａにより、綴じ位置の指定は右綴じであると判定された場合には（ステップＳ０１７；ＮＯ）、画像処理部１６ｅは、簡易くるみ製本印刷設定画面で設定された背幅Ｗ２と背からの距離Ｗ４とに基づいて、ステープルガイドＬ３を背用紙画像の左側の領域上に配置する画像処理を行う（ステップＳ０１８）。そして、本処理は終了し、次の印刷ジョブの受信を待つ。
【００６６】
一方、判定部１６ａにより、綴じ位置の指定は左綴じであると判定された場合には（ステップＳ０１７；ＹＥＳ）、画像処理部１６ｅは、簡易くるみ製本印刷設定画面で設定された背幅Ｗ２と背からの距離Ｗ４とに基づいて、ステープルガイドＬ３を背用紙画像の右側の領域上に配置する画像処理を行う（ステップＳ０１９）。そして、本処理は終了し、次の印刷ジョブの受信を待つ。
【００６７】
一方、ステップＳ０１６の処理において、判定部１６ａにより、ステープルガイドＬ３を表表紙に印刷することが指定されたと判定された場合には（ステップＳ０１６；ＮＯ）、画像処理部１６ｅは、簡易くるみ製本印刷設定画面で設定された背からの距離Ｗ４に基づいて、ステープルガイドＬ３を表表紙画像上に配置する画像処理を行う（ステップＳ０２０）。そして、本処理は終了し、次の印刷ジョブの受信を待つ。
【００６８】
上記実施形態によれば、印刷装置１０は、指定された印刷用紙のサイズと背幅Ｗ２とに基づいて、表表紙領域Ｄ１と背領域Ｄ２と裏表紙領域Ｄ３とからなる表紙領域Ｄを画定し、表紙画像ＩＭＧのレイアウト情報に基づいて、画定した表紙領域Ｄに表紙画像ＩＭＧを配置した表紙領域画像を生成する。そして、印刷装置１０は、指定された印刷用紙の短手方向のサイズＰＷと背幅Ｗ２とに基づいて、生成した表紙領域画像を分割し、表表紙画像と背領域画像と裏表紙画像を生成する。そして、印刷装置１０は、生成した背領域画像に基づいて、背用紙画像を生成する。
【００６９】
このように構成することで、例えば、一般的な印刷装置１０で使用されるＡ４などの印刷用紙とは異なるくるみ製本機用の幅広な表紙用印刷用紙に合わせて、表紙画像ＩＭＧが作成されている場合などであっても、表紙画像ＩＭＧを各領域に分割して表表紙と背用紙と裏表紙を作成することが可能となる。これにより、例えば、くるみ製本を製本業者に依頼する場合であっても、製本時の仕上がりを事前に確認することが可能となり、必要に応じて微調整を依頼前に行うことが可能となる。結果として、依頼から納品までのリードタイムを短縮することが可能となると共に、仕上がりがイメージとは異なるようなことが発生するのを抑制することが可能となる。
【００７０】
また、上記実施形態によれば、印刷装置１０は、表表紙と背用紙と裏表紙をそれぞれ作成する。このように構成することで、くるみ製本機で使用される幅広な表紙用印刷用紙に対応していない一般的な印刷装置１０であっても、くるみ製本用の表紙を簡易的に作成することが可能となる。これにより、本文を別に印刷することで、軽微な作業で簡易的なくるみ製本を行うことが可能となる。
【００７１】
また、上記実施形態によれば、印刷装置１０は、背用紙ののりしろの位置の指定が表紙の外側である場合に、各表紙ののりしろ被覆領域Ｄ５にある表紙画像ＩＭＧを切り出し、切り出した画像を取得する。そして、印刷装置１０は、背用紙ののりしろを外側にして表紙に重ねた際に、表紙ののりしろ被覆領域Ｄ５の表紙画像ＩＭＧと一致するように、取得した画像を、背用紙画像ののりしろ領域Ｄ４上に配置する画像処理を行う。このように構成することで、のりしろが表紙画像ＩＭＧの少なくとも一部を覆ってしまう場合であっても、覆われてしまう部分の表紙画像ＩＭＧを背用紙ののりしろ領域Ｄ４に印刷することで、くるみ製本機で作成した場合と同じような見栄えの表紙を作成することが可能となる。
【００７２】
なお、上記実施形態において、印刷ジョブを受信した印刷装置１０側で上述の表紙画像処理を行うと説明したが、これに限定されるものではなく、情報端末装置２０側で、上述の表紙画像処理の主要工程を実行するように構成し、のりしろガイドＬ２やステープルガイドＬ３などが配置された表表紙画像と背用紙画像と裏表紙画像を生成した後に、印刷ジョブを生成するように構成してもよい。
【００７３】
また、上記実施形態において、表紙画像ＩＭＧのレイアウト情報は、上側マージンＵＭと左側マージンＬＭとの組であると説明したが、これに限定されるものではなく、表紙画像ＩＭＧの表紙領域Ｄにおける配置位置を指定する情報であれば良い。例えば、表紙画像ＩＭＧの左上端の座標であっても良い。この場合、簡易くるみ製本印刷設定において、座標を設定できるように構成すればよい。
【００７４】
また、上記実施形態において、背ガイドＬ１とのりしろガイドＬ２は背用紙の表側に印刷されると説明したが、これに限定されるものではなく、背用紙の裏側に印刷するように構成してもよい。このように構成することで、製本時に背ガイドＬ１とのりしろガイドＬ２は見えなくなるため、見栄えを良くすることが可能となる。また、のりしろ位置のユーザの指定が外側である場合には、自動的に背用紙の裏側にのりしろガイドＬ２を印刷するように構成してもよい。このように構成することで、製本時にのりしろガイドＬ２は見えなくなるため、見栄えを良くすることが可能となる。
【００７５】
また、上記実施形態において、のりしろ位置のユーザの指定が内側であり、ステープルガイドＬ３ありが選択されている場合には、自動的にステープルガイドＬ３を背用紙に印刷し、のりしろ位置のユーザの指定が外側であり、ステープルガイドＬ３ありが選択されている場合には、自動的にステープルガイドＬ３を表表紙（又は、裏表紙）に印刷するように構成してもよい。このように構成することで、例えば、のりしろ位置のユーザの指定が内側であれば、ステープルガイドＬ３が背用紙に印刷されることから、例えば、本文を印刷した用紙に背用紙をのり付けした後に背用紙のステープルガイドＬ３に合わせてステープルで留め、その後、表紙を貼り付けることで、ステープルを表紙で隠すことができ、見栄えを良くすることが可能となる。
【００７６】
また、上記実施形態において、表表紙及び／又は裏表紙の裏側に、のりしろガイドＬ２やステープルガイドＬ３を印刷するように構成してもよい。
【００７７】
また、上記実施形態における簡易くるみ製本印刷設定画面で、背幅Ｗ２を設定すると説明したが、これに限定されるものではなく、例えば、図９（Ａ）に示すように、本文の用紙種別（本文を印刷する印刷用紙の種別）と本文枚数を設定するように構成し、設定した用紙種別と本文枚数とに基づいて、背幅Ｗ２を推定するように構成してもよい。
【００７８】
この場合、図９（Ｂ）に示すような、用紙種別毎に用紙の厚みの情報が対応付けられている用紙属性情報テーブルＴ１を印刷装置１０の記憶部１２が保持するように構成すればよい。さらに、用紙属性情報テーブルＴ１を参照して、設定された用紙種別に基づいて、本文を印刷する印刷用紙の厚みを特定し、特定した印刷用紙の厚みと設定された本文枚数とに基づいて、背幅Ｗ２を推定するように構成すればよい。ここで、図９（Ａ）は、本変形例における情報端末装置２０の表示画面に表示される簡易くるみ製本印刷設定画面の別の例であり、図９（Ｂ）は、本変形例における用紙属性情報テーブルＴ１の例を示す図である。
【００７９】
また、上記実施形態において、情報端末装置２０に製本アプリケーションがインストールされている場合には、その製本アプリケーションで生成された本文データを表紙及び背と一緒に印刷できるように構成してもよい。
【００８０】
なお、上記動作を実行するための動作プログラムを、フレキシブルディスク、ＣＤ−ＲＯＭ（Compact Disk-Read Only Memory）、ＤＶＤ（Digital Versatile Disk）、ＭＯ（Magneto Optical disk）などのコンピュータで読み取り可能な記録媒体に記憶して配布し、これを印刷装置１０、又は、情報端末装置２０のコンピュータにインストールすることにより、上述の処理を実行するように構成してもよい。さらに、インターネット上のサーバ装置が有するディスク装置等にプログラムを記憶しておき、例えば、搬送波に重畳させて、コンピュータにダウンロード等するものとしてもよい。
【００８１】
以上本発明の実施形態について説明したが、本発明は、以上に述べた実施形態に限定されるものではなく、本発明の要旨を逸脱しない範囲内で種々の構成又は実施形態を取ることができる。
【符号の説明】
【００８２】
１００    印刷システム
１０      印刷装置
１１      通信部
１２      記憶部
１３      表示部
１４      操作部
１５      プリンタ部
１６      制御部
１６ａ    判定部
１６ｂ    画像分割部
１６ｃ    のりしろ領域特定部
１６ｄ    画像取得部
１６ｅ    画像処理部
１６ｆ    ＲＩＰ処理部
２０      情報端末装置
ＮＷ      ネットワーク
ＩＭＧ    表紙画像
Ｌ１      背ガイド
Ｌ２      のりしろガイド
Ｌ３      ステープルガイド
ＣＬ      中心線
Ｗ１      中心線から背ガイドまでの距離
Ｗ２      背幅
Ｗ３      のりしろ幅
Ｗ４      背からの距離
ＰＷ      指定された印刷用紙の短手方向のサイズ
ＵＭ      上側マージン
ＬＭ      左側マージン
Ｄ        表紙領域
Ｄ１      表表紙領域
Ｄ２      背領域
Ｄ３      裏表紙領域
Ｄ４      のりしろ領域
Ｄ５      のりしろ被覆領域
Ｔ１      用紙属性情報テーブル
【図１】
2015207966.tif 000003
【図２】
2015207966.tif 000004
【図７】
2015207966.tif 000005
【図８】
2015207966.tif 000006
【図９】
2015207966.tif 000007
【図３】
2015207966.tif 000008
【図４】
2015207966.tif 000009
【図５】
2015207966.tif 000010
【図６】
2015207966.tif 000011